(57)【要約】【課題】本発明は小分けボトル洗浄装置を開示した。【解決手段】本発明は小分けボトル洗浄装置を公示し、装置筐体を含み、前記装置筐体の底部端面には廃水筐体が固定的に装着され、前記装置筐体の中には洗浄チャンバが設置され、前記洗浄チャンバの中には上昇スライドブロックがスライド可能に設置され、前記上昇スライドブロックの中には締め付け上昇装置が設置され、前記締め付け上昇装置は上昇と締め付けを推進するシリンダーを含み、前記上昇スライドブロックの中には洗浄溝が設置され自動的にボトルを締め付けられ、緩められ、かつ洗浄区域に送れ、より便利に制御でき、小分けボトルの内外側の洗浄を行われ、洗浄終えた後は直ちに乾燥と消毒処理を行い、一回にすべての洗浄活動を完了し、より顕著的な洗浄効果を与える。【選択図】図１
2020175369.tif 000002
【特許請求の範囲】
【請求項１】
小分けボトル洗浄装置であって、正面視で、装置筐体を含み、前記装置筐体の底部端面には廃水筐体が固定的に装着され、前記装置筐体の中には洗浄チャンバが設置され、前記洗浄チャンバの中には上昇スライドブロックがスライド可能に設置され、前記上昇スライドブロックの中には締め付け上昇装置が設置され、前記締め付け上昇装置は上昇と締め付けを推進するシリンダーを含み、前記上昇スライドブロックの中には洗浄溝が設置され、前記洗浄溝の中には小分けボトルを締め付けられる把持具と締め付けを制御する制御盤が設置され、前記洗浄チャンバの中には内部洗浄と乾燥装置が設置され、前記内部洗浄と乾燥装置は洗浄と乾燥の切換を制御できるステッパーモーターを含み、前記内部洗浄と乾燥装置は噴気口と噴水口を含み、前記洗浄チャンバの後側内壁の中には外側洗浄装置が設置され、前記外側洗浄装置は第二モータ―を含み、前記洗浄チャンバの中には洗浄を行う洗浄ローラーとローラー刷毛が設置されていることを特徴とする小分けボトル洗浄装置。
【請求項２】
前記締め付け上昇装置は前記上昇スライドブロックの中に設置された付勢ブロックスライド溝を含み、前記洗浄チャンバは前記装置筐体の中に設置され、前記上昇スライドブロックは前記洗浄チャンバの中にスライド可能に装着され、前記付勢ブロックスライド溝の中には上昇付勢ブロックがスライド可能に装着され、前記付勢ブロックスライド溝の頂壁上にはシリンダーが左右対称に、かつ固定的に設置されており、前記シリンダーの下側におけるピストンプッシュロッドはシリンダー軸と固定的に連結され、前記シリンダー軸と前記上昇付勢ブロックとが固定的に連結され、前記シリンダー軸の上には固定ロッドが固定的に装着され、前記固定ロッドの上には第一モーターが固定的に装着され、前記第一モーターの上側における出力軸の端面は第一モーター軸と固定的に連結され、前記上昇スライドブロックの頂部端面には洗浄溝が設置され、前記第一モーター軸と前記上昇スライドブロックとはスライド可能に連結され、前記第一モーター軸は上に前記洗浄溝の底部端面を貫いており、前記洗浄溝の左右内壁の中には前記上昇スライドブロックの左右端面と連通した排水口が設置され、前記第一モーター軸の上には把持具回転盤が固定的に装着され、前記把持具が前記第一モーター軸を中心に対称となるように前記把持具回転盤にヒンジで連結され、前記把持具は四つ設置され、前記把持具には把持カバーが固定的に装着され、前記把持具の一側端面と前記把持具回転盤の頂部端面との間には牽引ばねが固定的に設置され、前記制御盤は前記洗浄溝の内壁の中に固定的に装着され、前記制御盤の上には制御穴が設置され、前記制御穴と前記把持具とがスライド可能に連結され、前記洗浄溝の中には  置き台が回転可能に設置され、前記置き台の上には前記第一モーター軸を中心に対称となる伸縮穴が四つ周設されており、前記把持具は前記伸縮穴を通過しておることを特徴とする請求項１に記載の小分けボトル洗浄装置。
【請求項３】
前記内部洗浄と乾燥装置は前記装置筐体の頂部端面に固定的に装着された水箱を含み、前記洗浄チャンバの後側内壁の中にはポンプが固定的に装着され、前記ポンプと前記水箱との間には入水パイプが連通するように設置され、前記ステッパーモーターは前記置き台の右側端面に固定的に装着され、前記ステッパーモーターの左側における出力軸の端面にはねじロッド軸が固定的に連結され、前記ねじロッド軸は前記洗浄チャンバの左側内壁と回転可能に連結され、前記ねじ山スライドブロックが前記ねじロッド軸にねじ山によって連結され、前記ねじ山スライドブロックは前記洗浄チャンバの頂部端面とがスライド可能に設置され、前記ねじ山スライドブロックの底部端面にはノズル固定板が固定的に設置され、前記ノズル固定板の底部端面には噴気口と、紫外線発生器と噴水口とが固定的に設置され、前記噴水口と前記ポンプの出水口との間には送水パイプが連通するように設置され、前記洗浄チャンバの後側内壁の中には空気源が設置され、前記空気源と前記噴気口との間には送気パイプが連通するように設置されておることを特徴とする請求項１に記載の小分けボトル洗浄装置。
【請求項４】
前記外側洗浄装置は前記洗浄チャンバの後側内部の中に設置された洗浄駆動チャンバを含み、前記第二モーターは前記洗浄駆動チャンバの中に固定的に設置され、前記第二モーターの前側における出力軸の端面には第二モーター軸が固定的に連結され、前記第二モーター軸の上には第一傘歯車が固定的に設置され、前記ポンプの入力軸と前記洗浄駆動チャンバの上側内壁との間にはポンプ入力軸が回転可能に設置され、前記ポンプ入力軸の底部端面には第二傘歯車が固定的に設置され、前記第二傘歯車と前記第一傘歯車と噛み合っており、前記第二モーター軸の前側端面には第一スパーギアが固定的に設置され、前記洗浄チャンバの前後内壁にはローラ軸が左右対称に、かつ回転可能に設置され、前記ローラ軸の後側端面には第二スパーギアが固定的に設置され、前記第二スパーギアと前記第一スパーギアとは噛み合っており、前記ローラ軸の上には洗浄ローラーが固定的に設置され、前記洗浄ローラーの上にはローラー刷毛が固定的に設置され、前記洗浄チャンバの前側内壁と前記装置筐体の前側端面との間には連通した置き口が連通するように設置されておることを特徴とする請求項１に記載の小分けボトル洗浄装置。
【発明の詳細な説明】
【技術分野】
【０００１】
本発明は洗浄分野に関し、具体的は小分けボトル洗浄装置である。
【背景技術】
【０００２】
小分けボトルは人々が出かける時に必須の日用品である。しかし、使うたびに、ボトルの中には必ず残留物が残り、そしてさらに別のものを入れると、残留物は混合し、徹底的に洗浄しないと、ばい菌が繁殖してしまう。現在では、小分けボトルの洗浄は基本的には水で洗い流して、干すだけである。しかし、それでは洗浄は不完全であって、ボトルを消毒しない限り、洗浄効果は限られている。よって、小分けボトルを洗浄できる装置が必要であり、徹底的な洗浄で時間を節約し、人々を洗浄労働の縛りから解放する。
【先行技術文献】
【特許文献】
【０００３】
【特許文献１】中国特許出願公開第１０７９３４１６４号明細書
【発明の概要】
【発明が解決しようとする課題】
【０００４】
本発明は小分けボトル洗浄装置を提供し、既存技術にある上記の欠点を解消することを目的とする。
【課題を解決するための手段】
【０００５】
本発明である小分けボトル洗浄装置は、装置筐体を含み、前記装置筐体の底部端面には廃水筐体が固定的に装着され、前記装置筐体の中には洗浄チャンバが設置され、前記洗浄チャンバの中には上昇スライドブロックがスライド可能に設置され、前記上昇スライドブロックの中には締め付け上昇装置が設置され、前記締め付け上昇装置は上昇と締め付けを推進するシリンダーを含み、前記上昇スライドブロックの中には洗浄溝が設置され、前記洗浄溝の中には小分けボトルを締め付けられる把持具と締め付けを制御する制御盤が設置され、前記洗浄チャンバの中には内部洗浄と乾燥装置が設置され、前記内部洗浄と乾燥装置は洗浄と乾燥の切換を制御できるステッパーモーターを含み、前記内部洗浄と乾燥装置は噴気口と噴水口を含み、前記洗浄チャンバの後側内壁の中には外側洗浄装置が設置され、前記外側洗浄装置は第二モータ―を含み、前記洗浄チャンバの中には洗浄を行う洗浄ローラーとローラー刷毛が設置されている。
【０００６】
前記締め付け上昇装置は前記上昇スライドブロックの中に設置された付勢ブロックスライド溝を含み、前記洗浄チャンバは前記装置筐体の中に設置され、前記上昇スライドブロックは前記洗浄チャンバの中にスライド可能に装着され、前記付勢ブロックスライド溝の中には上昇付勢ブロックがスライド可能に装着され、前記付勢ブロックスライド溝の頂壁上にはシリンダーが左右対称に、かつ固定的に設置されており、前記シリンダーの下側におけるピストンプッシュロッドはシリンダー軸と固定的に連結され、前記シリンダー軸と前記上昇付勢ブロックとが固定的に連結され、前記シリンダー軸の上には固定ロッドが固定的に装着され、前記固定ロッドの上には第一モーターが固定的に装着され、前記第一モーターの上側における出力軸の端面は第一モーター軸と固定的に連結され、前記上昇スライドブロックの頂部端面には洗浄溝が設置され、前記第一モーター軸と前記上昇スライドブロックとはスライド可能に連結され、前記第一モーター軸は上に前記洗浄溝の底部端面を貫いており、前記洗浄溝の左右内壁の中には前記上昇スライドブロックの左右端面と連通した排水口が設置され、前記第一モーター軸の上には把持具回転盤が固定的に装着され、前記把持具が前記第一モーター軸を中心に対称となるように前記把持具回転盤にヒンジで連結され、前記把持具は四つ設置され、前記把持具には把持カバーが固定的に装着され、前記把持具の一側端面と前記把持具回転盤の頂部端面との間には牽引ばねが固定的に設置され、前記制御盤は前記洗浄溝の内壁の中に固定的に装着され、前記制御盤の上には制御穴が設置され、前記制御穴と前記把持具とがスライド可能に連結され、前記洗浄溝の中には  置き台が回転可能に設置され、前記置き台の上には前記第一モーター軸を中心に対称となる伸縮穴が四つ周設されており、前記把持具は前記伸縮穴を通過しておる。
【０００７】
前記内部洗浄と乾燥装置は前記装置筐体の頂部端面に固定的に装着された水箱を含み、前記洗浄チャンバの後側内壁の中にはポンプが固定的に装着され、前記ポンプと前記水箱との間には入水パイプが連通するように設置され、前記ステッパーモーターは前記置き台の右側端面に固定的に装着され、前記ステッパーモーターの左側における出力軸の端面にはねじロッド軸が固定的に連結され、前記ねじロッド軸は前記洗浄チャンバの左側内壁と回転可能に連結され、前記ねじ山スライドブロックが前記ねじロッド軸にねじ山によって連結され、前記ねじ山スライドブロックは前記洗浄チャンバの頂部端面とがスライド可能に設置され、前記ねじ山スライドブロックの底部端面にはノズル固定板が固定的に設置され、前記ノズル固定板の底部端面には噴気口と、紫外線発生器と噴水口とが固定的に設置され、前記噴水口と前記ポンプの出水口との間には送水パイプが連通するように設置され、前記洗浄チャンバの後側内壁の中には空気源が設置され、前記空気源と前記噴気口との間には送気パイプが連通するように設置されておる。
【０００８】
前記外側洗浄装置は前記洗浄チャンバの後側内部の中に設置された洗浄駆動チャンバを含み、前記第二モーターは前記洗浄駆動チャンバの中に固定的に設置され、前記第二モーターの前側における出力軸の端面には第二モーター軸が固定的に連結され、前記第二モーター軸の上には第一傘歯車が固定的に設置され、前記ポンプの入力軸と前記洗浄駆動チャンバの上側内壁との間にはポンプ入力軸が回転可能に設置され、前記ポンプ入力軸の底部端面には第二傘歯車が固定的に設置され、前記第二傘歯車と前記第一傘歯車と噛み合っており、前記第二モーター軸の前側端面には第一スパーギアが固定的に設置され、前記洗浄チャンバの前後内壁にはローラ軸が左右対称に、かつ回転可能に設置され、前記ローラ軸の後側端面には第二スパーギアが固定的に設置され、前記第二スパーギアと前記第一スパーギアとは噛み合っており、前記ローラ軸の上には洗浄ローラーが固定的に設置され、前記洗浄ローラーの上にはローラー刷毛が固定的に設置され、前記洗浄チャンバの前側内壁と前記装置筐体の前側端面との間には連通した置き口が連通するように設置されておる。
【発明の効果】
【０００９】
本発明の有益的効果は：本発明はシンプルな構成と簡単な操作方法を有し、  自動的にボトルを締め付けられ、緩められ、かつ洗浄区域に送れ、より便利に制御でき、小分けボトルの内外側の洗浄を行われ、洗浄終えた後は直ちに乾燥と消毒処理を行い、一回にすべての洗浄活動を完了し、より顕著的な洗浄効果を与え、普及に値する。
【図面の簡単な説明】
【００１０】
説明をわかりやすくさせるため、下記の方向を以下のように規定する：図１は本発明装置の正面図であり、以下に述べる上下左右前後の方向と図１本体の投影関係の上下左右前後の方向とが一致である
【００１１】
【図１】図１は本発明の全体構成略図
【図２】図２は図１におけるＡ−Ａ方向からの断面構成略図
【図３】図３は図２におけるＢ−Ｂ方向からの断面構成略図
【図４】図４は部品２６の構成略図
【発明を実施するための形態】
【００１２】
下記に図１〜４を交え、本発明について詳しく説明する。
【００１３】
図１〜４を参照し、本発明である小分けボトル洗浄装置は、装置筐体１０を含み、前記装置筐体１０の底部端面には廃水筐体１３が固定的に装着され、前記装置筐体１０の中には洗浄チャンバ２９が設置され、前記洗浄チャンバ２９の中には上昇スライドブロック１１がスライド可能に設置され、前記上昇スライドブロック１１の中には締め付け上昇装置８００が設置され、前記締め付け上昇装置８００は上昇と締め付けを推進するシリンダー１７を含み、前記上昇スライドブロック１１の中には洗浄溝２１が設置され、前記洗浄溝２１の中には小分けボトル９０を締め付けられる把持具２４と締め付けを制御する制御盤２３が設置され、前記洗浄チャンバ２９の中には内部洗浄と乾燥装置８０１が設置され、前記内部洗浄と乾燥装置８０１は洗浄と乾燥の切換を制御できるステッパーモーター３３を含み、前記内部洗浄と乾燥装置８０１は噴気口３７と噴水口３８を含み、前記洗浄チャンバ２９の後側内壁の中には外側洗浄装置８０２が設置され、前記外側洗浄装置８０２は第二モータ―４５を含み、前記洗浄チャンバ２９の中には洗浄を行う洗浄ローラー３１とローラー刷毛３０が設置されている。
【００１４】
好ましくは、前記締め付け上昇装置８００は前記上昇スライドブロック１１の中に設置された付勢ブロックスライド溝１４を含み、前記洗浄チャンバ２９は前記装置筐体１０の中に設置され、前記上昇スライドブロック１１は前記洗浄チャンバ２９の中にスライド可能に装着され、前記付勢ブロックスライド溝１４の中には上昇付勢ブロック１２がスライド可能に装着され、前記付勢ブロックスライド溝１４の頂壁上にはシリンダー１７が左右対称に、かつ固定的に設置されており、前記シリンダー１７の下側におけるピストンプッシュロッドはシリンダー軸１５と固定的に連結され、前記シリンダー軸１５と前記上昇付勢ブロック１２とが固定的に連結され、前記シリンダー軸１５の上には固定ロッド１６が固定的に装着され、前記固定ロッド１６の上には第一モーター１８が固定的に装着され、前記第一モーター１８の上側における出力軸の端面は第一モーター軸１９と固定的に連結され、前記上昇スライドブロック１１の頂部端面には洗浄溝２１が設置され、前記第一モーター軸１９と前記上昇スライドブロック１１とはスライド可能に連結され、前記第一モーター軸１９は上に前記洗浄溝２１の底部端面を貫いており、前記洗浄溝２１の左右内壁の中には前記上昇スライドブロック１１の左右端面と連通した排水口２０が設置され、前記第一モーター軸１９の上には把持具回転盤５６が固定的に装着され、前記把持具２４が前記第一モーター軸１９を中心に対称となるように前記把持具回転盤５６にヒンジで連結され、前記把持具２４は四つ設置され、前記把持具２４には把持カバー２８が固定的に装着され、前記把持具２４の一側端面と前記把持具回転盤５６の頂部端面との間には牽引ばね２２が固定的に設置され、前記制御盤２３は前記洗浄溝２１の内壁の中に固定的に装着され、前記制御盤２３の上には制御穴２５が設置され、前記制御穴２５と前記把持具２４とがスライド可能に連結され、前記洗浄溝２１の中には  置き台２６が回転可能に設置され、前記置き台２６の上には前記第一モーター軸１９を中心に対称となる伸縮穴２７が四つ周設されており、前記把持具２４は前記伸縮穴２７を通過しており、小分けボトル９０を置き台２６に置いて、シリンダー１７を起動し、シリンダー１７がシリンダー軸１５を下に動かし、シリンダー軸１５が上昇付勢ブロック１２を下に動かすことで、上昇スライドブロック１１を上昇させ、また、シリンダー軸１５は第一モーター軸１９と把持具回転盤５６を下に動かし、制御穴２５が把持具２４を止めることで把持具２４は小分けボトル９０を締め付ける。
【００１５】
好ましくは、前記内部洗浄と乾燥装置８０１は前記装置筐体１０の頂部端面に固定的に装着された水箱３９を含み、前記洗浄チャンバ２９の後側内壁の中にはポンプ４１が固定的に装着され、前記ポンプ４１と前記水箱３９との間には入水パイプ４０が連通するように設置され、前記ステッパーモーター３３は前記置き台２６の右側端面に固定的に装着され、前記ステッパーモーター３３の左側における出力軸の端面にはねじロッド軸３４が固定的に連結され、前記ねじロッド軸３４は前記洗浄チャンバ２９の左側内壁と回転可能に連結され、前記ねじ山スライドブロック３５が前記ねじロッド軸３４にねじ山によって連結され、前記ねじ山スライドブロック３５は前記洗浄チャンバ２９の頂部端面とがスライド可能に設置され、前記ねじ山スライドブロック３５の底部端面にはノズル固定板３６が固定的に設置され、前記ノズル固定板３６の底部端面には噴気口３７と、紫外線発生器５５と噴水口３８とが固定的に設置され、前記噴水口３８と前記ポンプ４１の出水口との間には送水パイプ４２が連通するように設置され、前記洗浄チャンバ２９の後側内壁の中には空気源５３が設置され、前記空気源５３と前記噴気口３７との間には送気パイプ５４が連通するように設置されており、以上により、ステッパーモーター３３を起動させ、ステッパーモーター３３はノズル固定板３６の左右移動を連動させ、洗浄と乾燥の作動パターンを切り換え、ポンプ４１が作動した後、水箱３９の中の水が吸収され、噴水口３８から噴出し、内部の洗浄を行い、また空気源５３が作動した後空気詰めを行い、空気を吸収し、噴気口３７から噴出し、乾燥を行う。  
【００１６】
好ましくは、前記外側洗浄装置８０２は前記洗浄チャンバ２９の後側内部の中に設置された洗浄駆動チャンバ４４を含み、前記第二モーター４５は前記洗浄駆動チャンバ４４の中に固定的に設置され、前記第二モーター４５の前側における出力軸の端面には第二モーター軸４６が固定的に連結され、前記第二モーター軸４６の上には第一傘歯車４８が固定的に設置され、前記ポンプ４１の入力軸と前記洗浄駆動チャンバ４４の上側内壁との間にはポンプ入力軸４３が回転可能に設置され、前記ポンプ入力軸４３の底部端面には第二傘歯車４７が固定的に設置され、前記第二傘歯車４７と前記第一傘歯車４８と噛み合っており、前記第二モーター軸４６の前側端面には第一スパーギア５０が固定的に設置され、前記洗浄チャンバ２９の前後内壁にはローラ軸３２が左右対称に、かつ回転可能に設置され、前記ローラ軸３２の後側端面には第二スパーギア４９が固定的に設置され、前記第二スパーギア４９と前記第一スパーギア５０とは噛み合っており、前記ローラ軸３２の上には洗浄ローラー３１が固定的に設置され、前記洗浄ローラー３１の上にはローラー刷毛３０が固定的に設置され、前記洗浄チャンバ２９の前側内壁と前記装置筐体１０の前側端面との間には連通した置き口５１が連通するように設置されており、第二モーター４５を起動し、そして第二モーター４５は第一傘歯車４８と第一スパーギア５０を回転させ、第一傘歯車４８は第二傘歯車４７を回転させ、第二傘歯車４７はポンプ４１を連動させ、第一スパーギア５０は洗浄ローラー３１とローラー刷毛３０を回転させ、小分けボトル９０の外側を洗浄する。
【００１７】
使用時には、ステッパーモーター３３を起動し、ステッパーモーター３３はノズル固定板３６を左右移動させて、洗浄と乾燥の作動パターンを切り換え、洗浄パターンを選び、小分けボトル９０を置き台２６に置き、シリンダー１７を起動し、シリンダー１７はシリンダー軸１５を下に移動させ、シリンダー軸１５は上昇付勢ブロック１２を下に移動させ、上昇スライドブロック１１を上に移動させることで、噴水口３８あるいは噴気口３７を小分けボトル９０の中に入らせ、シリンダー軸１５は第一モーター１８を下に移動させ、第一モーター軸１９と把持具回転盤５６を下に移動させ、制御穴２５が把持具２４を止めることで、把持具２４は小分けボトル９０を締め付け、第一モーター１８を起動し、第一モーター１８は小分けボトル９０を回転させ、第二モーター４５を起動し、第二モーター４５は第一傘歯車４８と第一スパーギア５０とを回転させ、第一傘歯車４８は第二傘歯車４７を回転させ、第二傘歯車４７はポンプを連動させ、第一スパーギア５０は洗浄ローラー３１とローラー刷毛３０と回転させ、小分けボトル９０の外部を洗浄し、ポンプ４１が作動した後、水箱３９の中に水は吸収され、噴水口３８から噴出し、内部の洗浄を行い、小分けボトル９０の内部と外部が洗浄終えた後、第二モーター４５を停止し、作動パターンを乾燥パターンに切り換え、
空気源５３が作動した後空気詰めを行い、空気を吸収し、噴気口３７から洗浄チャンバ２７の中に噴出し、乾燥を行い、乾燥終えた後はシリンダー１７を停止し、シリンダー１７は小分けボトル９０を下に移動させ、かつ小分けボトル９０を放ち、小分けボトル９０を置き口５１から取り出す。
【００１８】
本発明の有益的効果は：本発明はシンプルな構成と簡単な操作方法を有し、  自動的にボトルを締め付けられ、緩められ、かつ洗浄区域に送れ、より便利に制御でき、小分けボトルの内外側の洗浄を行われ、洗浄終えた後は直ちに乾燥と消毒処理を行い、一回にすべての洗浄活動を完了し、より顕著的な洗浄効果を与え、普及に値する。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175369.tif 000003
【図２】
2020175369.tif 000004
【図３】
2020175369.tif 000005
【図４】
2020175369.tif 000006
【手続補正書】
【提出日】令和2年1月11日(2020.1.11)
【手続補正１】
【補正対象書類名】特許請求の範囲
【補正対象項目名】全文
【補正方法】変更
【補正の内容】
【特許請求の範囲】
【請求項１】
小分けボトル洗浄装置であって、正面視で、装置筐体を含み、前記装置筐体の底部端面には廃水筐体が固定的に装着され、前記装置筐体の中には洗浄チャンバが設置され、前記洗浄チャンバの中には上昇スライドブロックがスライド可能に設置され、前記上昇スライドブロックの中には締め付け上昇装置が設置され、前記締め付け上昇装置は上昇と締め付けを推進するシリンダーを含み、前記上昇スライドブロックの中には洗浄溝が設置され、前記洗浄溝の中には小分けボトルを締め付けられる把持具と締め付けを制御する制御盤が設置され、前記洗浄チャンバの中には内部洗浄と乾燥装置が設置され、前記内部洗浄と乾燥装置は洗浄と乾燥の切換を制御できるステッパーモーターを含み、前記内部洗浄と乾燥装置は噴気口と噴水口を含み、前記洗浄チャンバの後側内壁の中には外側洗浄装置が設置され、前記外側洗浄装置は第二モータ―を含み、前記洗浄チャンバの中には洗浄を行う洗浄ローラーとローラー刷毛が設置され、
前記締め付け上昇装置は前記上昇スライドブロックの中に設置された付勢ブロックスライド溝を含み、前記洗浄チャンバは前記装置筐体の中に設置され、前記上昇スライドブロックは前記洗浄チャンバの中にスライド可能に装着され、前記付勢ブロックスライド溝の中には上昇付勢ブロックがスライド可能に装着され、前記付勢ブロックスライド溝の頂壁上にはシリンダーが左右対称に、かつ固定的に設置されており、前記シリンダーの下側におけるピストンプッシュロッドはシリンダー軸と固定的に連結され、前記シリンダー軸と前記上昇付勢ブロックとが固定的に連結され、前記シリンダー軸の上には固定ロッドが固定的に装着され、前記固定ロッドの上には第一モーターが固定的に装着され、前記第一モーターの上側における出力軸の端面は第一モーター軸と固定的に連結され、前記上昇スライドブロックの頂部端面には洗浄溝が設置され、前記第一モーター軸と前記上昇スライドブロックとはスライド可能に連結され、前記第一モーター軸は上に前記洗浄溝の底部端面を貫いており、前記洗浄溝の左右内壁の中には前記上昇スライドブロックの左右端面と連通した排水口が設置され、前記第一モーター軸の上には把持具回転盤が固定的に装着され、前記把持具が前記第一モーター軸を中心に対称となるように前記把持具回転盤にヒンジで連結され、前記把持具は四つ設置され、前記把持具には把持カバーが固定的に装着され、前記把持具の一側端面と前記把持具回転盤の頂部端面との間には牽引ばねが固定的に設置され、前記制御盤は前記洗浄溝の内壁の中に固定的に装着され、前記制御盤の上には制御穴が設置され、前記制御穴と前記把持具とがスライド可能に連結され、前記洗浄溝の中には  置き台が回転可能に設置され、前記置き台の上には前記第一モーター軸を中心に対称となる伸縮穴が四つ周設されており、前記把持具は前記伸縮穴を通過し、
前記内部洗浄と乾燥装置は前記装置筐体の頂部端面に固定的に装着された水箱を含み、前記洗浄チャンバの後側内壁の中にはポンプが固定的に装着され、前記ポンプと前記水箱との間には入水パイプが連通するように設置され、前記ステッパーモーターは前記置き台の右側端面に固定的に装着され、前記ステッパーモーターの左側における出力軸の端面にはねじロッド軸が固定的に連結され、前記ねじロッド軸は前記洗浄チャンバの左側内壁と回転可能に連結され、前記ねじ山スライドブロックが前記ねじロッド軸にねじ山によって連結され、前記ねじ山スライドブロックは前記洗浄チャンバの頂部端面とがスライド可能に設置され、前記ねじ山スライドブロックの底部端面にはノズル固定板が固定的に設置され、前記ノズル固定板の底部端面には噴気口と、紫外線発生器と噴水口とが固定的に設置され、前記噴水口と前記ポンプの出水口との間には送水パイプが連通するように設置され、前記洗浄チャンバの後側内壁の中には空気源が設置され、前記空気源と前記噴気口との間には送気パイプが連通するように設置され、
前記外側洗浄装置は前記洗浄チャンバの後側内部の中に設置された洗浄駆動チャンバを含み、前記第二モーターは前記洗浄駆動チャンバの中に固定的に設置され、前記第二モーターの前側における出力軸の端面には第二モーター軸が固定的に連結され、前記第二モーター軸の上には第一傘歯車が固定的に設置され、前記ポンプの入力軸と前記洗浄駆動チャンバの上側内壁との間にはポンプ入力軸が回転可能に設置され、前記ポンプ入力軸の底部端面には第二傘歯車が固定的に設置され、前記第二傘歯車と前記第一傘歯車と噛み合っており、前記第二モーター軸の前側端面には第一スパーギアが固定的に設置され、前記洗浄チャンバの前後内壁にはローラ軸が左右対称に、かつ回転可能に設置され、前記ローラ軸の後側端面には第二スパーギアが固定的に設置され、前記第二スパーギアと前記第一スパーギアとは噛み合っており、前記ローラ軸の上には洗浄ローラーが固定的に設置され、前記洗浄ローラーの上にはローラー刷毛が固定的に設置され、前記洗浄チャンバの前側内壁と前記装置筐体の前側端面との間には連通した置き口が連通するように設置されておることを特徴とする小分けボトル洗浄装置。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
小分けボトル洗浄装置であって、正面視で、装置筐体を含み、前記装置筐体の底部端面には廃水筐体が固定的に装着され、前記装置筐体の中には洗浄チャンバが設置され、前記洗浄チャンバの中には上昇スライドブロックがスライド可能に設置され、前記上昇スライドブロックの中には締め付け上昇装置が設置され、前記締め付け上昇装置は上昇と締め付けを推進するシリンダーを含み、前記上昇スライドブロックの中には洗浄溝が設置され、前記洗浄溝の中には小分けボトルを締め付けられる把持具と締め付けを制御する制御盤が設置され、前記洗浄チャンバの中には内部洗浄と乾燥装置が設置され、前記内部洗浄と乾燥装置は洗浄と乾燥の切換を制御できるステッパーモーターを含み、前記内部洗浄と乾燥装置は噴気口と噴水口を含み、前記洗浄チャンバの後側内壁の中には外側洗浄装置が設置され、前記外側洗浄装置は第二モータ―を含み、前記洗浄チャンバの中には洗浄を行う洗浄ローラーとローラー刷毛が設置され、
前記締め付け上昇装置は前記上昇スライドブロックの中に設置された付勢ブロックスライド溝を含み、前記洗浄チャンバは前記装置筐体の中に設置され、前記上昇スライドブロックは前記洗浄チャンバの中にスライド可能に装着され、前記付勢ブロックスライド溝の中には上昇付勢ブロックがスライド可能に装着され、前記付勢ブロックスライド溝の頂壁上にはシリンダーが左右対称に、かつ固定的に設置されており、前記シリンダーの下側におけるピストンプッシュロッドはシリンダー軸と固定的に連結され、前記シリンダー軸と前記上昇付勢ブロックとが固定的に連結され、前記シリンダー軸の上には固定ロッドが固定的に装着され、前記固定ロッドの上には第一モーターが固定的に装着され、前記第一モーターの上側における出力軸の端面は第一モーター軸と固定的に連結され、前記上昇スライドブロックの頂部端面には洗浄溝が設置され、前記第一モーター軸と前記上昇スライドブロックとはスライド可能に連結され、前記第一モーター軸は上に前記洗浄溝の底部端面を貫いており、前記洗浄溝の左右内壁の中には前記上昇スライドブロックの左右端面と連通した排水口が設置され、前記第一モーター軸の上には把持具回転盤が固定的に装着され、前記把持具が前記第一モーター軸を中心に対称となるように前記把持具回転盤にヒンジで連結され、前記把持具は四つ設置され、前記把持具には把持カバーが固定的に装着され、前記把持具の一側端面と前記把持具回転盤の頂部端面との間には牽引ばねが固定的に設置され、前記制御盤は前記洗浄溝の内壁の中に固定的に装着され、前記制御盤の上には制御穴が設置され、前記制御穴と前記把持具とがスライド可能に連結され、前記洗浄溝の中には  置き台が回転可能に設置され、前記置き台の上には前記第一モーター軸を中心に対称となる伸縮穴が四つ周設されており、前記把持具は前記伸縮穴を通過し、
前記内部洗浄と乾燥装置は前記装置筐体の頂部端面に固定的に装着された水箱を含み、前記洗浄チャンバの後側内壁の中にはポンプが固定的に装着され、前記ポンプと前記水箱との間には入水パイプが連通するように設置され、前記ステッパーモーターは前記置き台の右側端面に固定的に装着され、前記ステッパーモーターの左側における出力軸の端面にはねじロッド軸が固定的に連結され、前記ねじロッド軸は前記洗浄チャンバの左側内壁と回転可能に連結され、前記ねじ山スライドブロックが前記ねじロッド軸にねじ山によって連結され、前記ねじ山スライドブロックは前記洗浄チャンバの頂部端面とがスライド可能に設置され、前記ねじ山スライドブロックの底部端面にはノズル固定板が固定的に設置され、前記ノズル固定板の底部端面には噴気口と、紫外線発生器と噴水口とが固定的に設置され、前記噴水口と前記ポンプの出水口との間には送水パイプが連通するように設置され、前記洗浄チャンバの後側内壁の中には空気源が設置され、前記空気源と前記噴気口との間には送気パイプが連通するように設置され、
前記外側洗浄装置は前記洗浄チャンバの後側内部の中に設置された洗浄駆動チャンバを含み、前記第二モーターは前記洗浄駆動チャンバの中に固定的に設置され、前記第二モーターの前側における出力軸の端面には第二モーター軸が固定的に連結され、前記第二モーター軸の上には第一傘歯車が固定的に設置され、前記ポンプの入力軸と前記洗浄駆動チャンバの上側内壁との間にはポンプ入力軸が回転可能に設置され、前記ポンプ入力軸の底部端面には第二傘歯車が固定的に設置され、前記第二傘歯車と前記第一傘歯車と噛み合っており、前記第二モーター軸の前側端面には第一スパーギアが固定的に設置され、前記洗浄チャンバの前後内壁にはローラ軸が左右対称に、かつ回転可能に設置され、前記ローラ軸の後側端面には第二スパーギアが固定的に設置され、前記第二スパーギアと前記第一スパーギアとは噛み合っており、前記ローラ軸の上には洗浄ローラーが固定的に設置され、前記洗浄ローラーの上にはローラー刷毛が固定的に設置され、前記洗浄チャンバの前側内壁と前記装置筐体の前側端面との間には連通した置き口が連通するように設置されており、
前記ステッパーモーターを起動し、前記ステッパーモーターは前記ノズル固定板を左右移動させて、洗浄と乾燥の作動パターンを切り換え、洗浄パターンを選び、小分けボトルを置き台に置き、前記シリンダーを起動し、前記シリンダーは前記シリンダー軸を下に移動させ、前記シリンダー軸は前記上昇付勢ブロックを下に移動させ、前記上昇スライドブロックを上に移動させることで、前記噴水口あるいは前記噴気口を小分けボトルの中に入らせ、前記シリンダー軸は前記第一モーターを下に移動させ、前記第一モーター軸と前記把持具回転盤を下に移動させ、前記制御穴が前記把持具を止めることで、前記把持具は小分けボトルを締め付け、前記第一モーターを起動し、前記第一モーターは小分けボトルを回転させ、前記第二モーターを起動し、前記第二モーターは前記第一傘歯車と前記第一スパーギアとを回転させ、前記第一傘歯車は前記第二傘歯車を回転させ、前記第二傘歯車は前記ポンプを連動させ、前記第一スパーギアは前記洗浄ローラーと前記ローラー刷毛と回転させ、小分けボトルの外部を洗浄し、前記ポンプが作動した後、前記水箱の中に水は吸収され、前記噴水口から噴出し、内部の洗浄を行い、小分けボトルの内部と外部が洗浄終えた後、前記第二モーターを停止し、作動パターンを乾燥パターンに切り換え、空気源が作動した後空気詰めを行い、空気を吸収し、前記気口から前記洗浄チャンバの中に噴出し、乾燥を行うことを特徴とする小分けボトル洗浄装置。